(57)【要約】【課題】環境温度差に影響されたり、灌水用チューブに残留する水や液肥の昇温による植栽物への悪影響を防止するとともに、「水藻」の発生による潅水口の閉塞をなくして植栽物への潅水を良好に行うことができる植栽物への灌水用チューブを提供する。【解決手段】灌水用チューブには植栽物に向けて水乃至液肥を供給する潅水用小孔が形成されるとともに、遮光性を有するホース本体と、灌水用チューブが設置されたときに上面となる部分に、外方からの熱若しくは光を反射させる反射層を設けた。【選択図】  図３
2008295309.tif 000002
【特許請求の範囲】
【請求項１】
茎部近傍の土壌上面部分に載置若しくは植栽用ポットの上面近傍に設定し、植栽物の茎部若しくは茎部近傍土壌に灌水するための灌水用チューブであって、当該灌水用チューブには植栽物に向けて水乃至液肥を供給する灌水用小孔が形成されるとともに、遮光性を有するチューブ本体と、灌水用チューブが設置されたときに上面となる部分に、外方からの熱若しくは光を反射させる反射層を設けたことを特徴とする植栽物への灌水用チューブ。
【請求項２】
チューブ本体が、遮光性を有する帯状のシートを対面させた状態にし、両側部分を帯状のシートの長手方向に沿って溶着されて形成されていることを特徴とする請求項１に記載の植栽物への灌水用チューブ。
【請求項３】
チューブ本体が黒色のチューブであることを特徴とする請求項１又は請求項２に記載の植栽物への灌水用チューブ。
【請求項４】
反射層が、チューブ本体にアルミ蒸着シートを長手方向に融着して構成されていることを特徴とする請求項１乃至請求項３のいずれか１項に記載の植栽物への灌水用チューブ。
【発明の詳細な説明】
【技術分野】
【０００１】
本発明は植物の育苗や生育を促進するために使用される植栽物への灌水用チューブに関するものである。
【背景技術】
【０００２】
近年、地球規模で温暖化が問題となってきているが、農業分野でも高温多湿による病害が多発し、農業生産者に多大なる被害を与えている。
殊に、イチゴ苗の育苗においては、全国的に高温多湿による炭そ病が発生し問題となっている。この炭そ病は、従前の頭上灌水や雨により、水滴が葉や培土を叩くことにより、菌が跳ね、他の株に伝染する事で育苗圃場で拡大するのである。
【０００３】
上述の炭そ病の拡大を防止するため、いくつかの機関において葉に水を掛けずに育苗する底面灌水が研究されおり、これも炭そ病に対しては予防効果を発揮する。
ところが、給水マットを介して水により非常に感染速度が速く且つ、炭そ病より被害が大きい「疫病」や「萎黄病」を拡大させる懸念がある事に加え、底面灌水では若干の凸凹でも給水マット上に水たまりが発生し病害の拡大を助長する。
そのため、水平面の確保など設置には細心の注意が必要で、一般生産者には、技術的に困難で、且つ、コストも非常に高価になると言う問題があった。
【０００４】
なお、給水マット上に灌水用チューブを敷設し、当該灌水用チューブに圧力水若しくは加圧された液肥を供給し、灌水用チューブに穿設された灌水用小孔（灌水口）から植栽物に水や液肥を供給するようにしたものもあるが、敷設したチューブ自体が高温になりランナー（蔓）で株を増殖させるイチゴでは、ランナーがストレスを受ける懸念もある。
【０００５】
こうしたものでは灌水を停止したとき、灌水用チューブ内に残留する水や液肥が高温になったり、澱んでいる状態であることから「水藻」が発生したりする。
灌水用チューブ内で高温になった水や液肥がそのまま植栽物に供給されると、高熱のために植栽物が傷んでしまうという問題があった。
また、灌水用チューブ内に「水藻」が発生すると、これが灌水用小孔を閉塞してしまい、当該部分からは灌水不能になる場合があるという問題があった。
【特許文献１】特開２００６−２９６３１０号公報
【発明の開示】
【発明が解決しようとする課題】
【０００６】
本発明は上記問題点に鑑み提案されたもので、頭上灌水でも、底面灌水でもない「イチゴ苗」の葉に水を掛けず各々の苗の株元に均等に灌水できるチューブであって、環境温度差に影響されたり、チューブ自体が高温にならず、ランナーのストレスを軽減すると共に、灌水用チューブに残留する水や液肥の昇温による植栽物への悪影響を防止するとともに、「水藻」の発生による灌水口の閉塞をなくして植栽物への灌水を良好に行うことができる植栽物への灌水用チューブを提供できるようにすることを目的とするものである。
【課題を解決するための手段】
【０００７】
上記目的を達成するために本発明にかかる植栽物への灌水用チューブは、茎部近傍の土壌上面部分に載置若しくは植栽用ポットの上面近傍に設定し、植栽物の茎部若しくは茎部近傍土壌に灌水するための灌水用チューブであって、当該灌水用チューブには植栽物に向けて水乃至液肥を供給する灌水用小孔が形成されるとともに、遮光性を有するチューブ本体と、灌水用チューブが設置されたときに上面となる部分に、外方からの熱若しくは光を反射させる反射層を設けたことを最も主要な特徴とするものである。
【０００８】
本発明にかかる植栽物への灌水用チューブは、チューブ本体が、遮光性を有する帯状のシートを対面させた状態にし、両側部分を帯状のシートの長手方向に沿って溶着されて形成されていること、チューブ本体が黒色のチューブであること、さらには反射層が、チューブの長手方向に沿って溶着されることも特徴とするものである。
【発明の効果】
【０００９】
本発明の植栽物への灌水用チューブによれば、灌水用チューブには植栽物に向けて水乃至液肥を供給する灌水用小孔が形成されるとともに、遮光性を有するチューブ本体と、灌水用チューブが設置されたときに上面となる部分に、外方からの熱若しくは光を反射させる反射層を設けてあるので、チューブ本体が従来技術より高温にならないのは勿論、残留する水や液肥の昇温による植栽物への悪影響を防止される。
これにより、イチゴ苗のランナーに高温が及ぼすストレス等の悪影響や、残留する水や液肥の昇温による植栽物への悪影響を可及的に防止することができる利点がある。
【００１０】
また、チューブ本体が遮光性を有していることから、外からの光が残留する水や液肥にとどかず、「水藻」の発生を確実の防止することができる。
これにより、灌水用チューブ内に発生する「水藻」により灌水用小孔を閉塞してしまうのを防止して良好な灌水を維持できる利点がある
【００１１】
さらに、遮光性を有する帯状のシートを対面させた状態にし、両側部分を帯状のシートの長手方向に沿って溶着することにより、チューブ本体を形成するようにしたものでは、チューブ本体を簡単に製造することができるとともに、チューブ本体の表裏の素材が異なるものの簡単に生産することができる利点がある。
【００１２】
くわえて、チューブ本体を黒色にして遮光性を有するようにしたものでは、他の遮光性を有する色のチューブに比べて確実に遮光性を保持でき、「水藻」の発生の防止をより確実なものにすることができる利点がある。
【００１３】
また、灌水用チューブの反射層を、チューブ本体にアルミ蒸着シートや反射色のシートを長手方向に溶着して構成したものでは、各ポット部に画一均一に灌水するという当初の目標達成のために、チューブの捻れやたわみ防止のために効果があるという利点もある。
【発明を実施するための最良の形態】
【００１４】
以下、本発明にかかる植栽物への灌水用チューブの好ましい実施の形態を図面に基づいて説明する。
【実施例１】
【００１５】
図１は植物、例えばイチゴの苗を育てる育苗装置の概略を示す斜視図であって、図中符号１はイチゴの育苗装置を全体的に示す。
この育苗装置１は、箱状のトレー２を栽培地上に複数個列状に並べ、この列状に並べられたトレー２の上面部分でその長手方向にそって灌水用チューブ３が設けられている。
上記トレー２は、自動灌水を想定し、栽培当日の天候に影響される事がなく育苗するため、過灌水にならず、培土温度を抑制する事を可能とするため、プレート部分４から下細りテーパー状のポット５を複数個（図示のものでは左右３列で前後に５つ）設けてあり、各ポット５・５・５・・・は、周壁部分に幅が１〜３ｍｍの範囲で設定された複数のスリット６を等間隔に形成するとともに、底部はネット（網目）状７してあり、このポット５の内方に栽培土１６が充填されている。
【００１６】
また、ポット５とポット５との間のプレート部分４には後述する灌水用チューブ３を固定するバンド８を挿通したり、近接するトレー２・２同士の連結用の連結具を挿通したりするための孔としても利用される通気用孔９が穿設されている。
上記灌水用チューブ３は、遮光性を有する黒色の塩化ビニルシート１０を帯状にし、その長手方向の両側縁部分を熱溶着１１して筒状に形成したチューブ本体１２と、その一側面（設置した時に上面となる面）に反射層１３が形成されている。
【００１７】
この反射層１３は、周囲からの熱や光を反射するためのもので、図３に示すように、アルミ蒸着シートを長手方向に溶着したものである。
そして、反射層１３が形成されない側のチューブ本体１２の下面の側縁寄り部分には、灌水口１７となる小孔が等間隔で穿孔されている。
なお、図１中符号１４はイチゴの親株であって、符号１５は当該親株１４から灌水用チューブ３を越えてポット５の栽培土１６に延出するランナーである。
【００１８】
上記のように構成された灌水用チューブ３は、栽培場所に設置された列状のトレー２の長手方向に沿って敷設し、ポット５とポット５との間のプレート部分４に形成された通気用孔９に挿通したバンド８で図２に示すように所定間隔置きに固定した後、灌水用チューブ３の両端部の開口を水もしくは液肥の供給口（図示せず）に連結するか、灌水用チューブ３の両端部の開口の内、一方を閉塞し他方を水もしくは液肥の供給口に連結する。
【００１９】
そして、供給口から水もしくは液肥が供給されると、これまで扁平であった灌水用チューブは図４に示すように膨れ、灌水口１７から植物であるイチゴのランナー１５の茎部分ないしは栽培土１６への灌水が開始される。
所定量の水もしくは液肥が供給されたのち、水もしくは液肥の供給が停止されると、灌水口１７からイチゴのランナー１５の茎部分ないしは栽培土（栽培土壌）１６への灌水も停止されるが、チューブ本体１２内には水もしくは液肥が若干残留する。
【００２０】
このチューブ本体１２内に残留する水もしくは液肥は残留しているが、チューブ本体１２の上面に形成された反射層１３により周囲の熱が反射されて昇温しにくいことから、このチューブ本体１２の表面部分にイチゴのランナー１５部分が当接しても、熱等でランナー１５がストレスを受けるのを防止できる。
また、チューブ本体１２が遮光性を有する黒色になっており、光がチューブ本体１２内に残留する水もしくは液肥に届かないことから、チューブ本体１２内に残留する水もしくは液肥に「水藻」の発生を防止できる。
したがって、チューブ本体１２内に残留する水もしくは液肥の昇温を防止できながらも、「水藻」の発生による灌水口１７の目詰まりを防止して良好な灌水を維持することができる。
【００２１】
尚、本発明にいうところの灌水用チューブ３とは膨らんだり、扁平になるものだけでなく、ホース状のものも包含するものである。
また、チューブ本体１２は、遮光性を有する黒色の塩化ビニルシート１０を帯状にし、その長手方向の両側縁部分を熱溶着１１して筒状にして形成したものに限られず、他の素材や押し出し成型による通常のパイプで形成することも可能であり、チューブ本体１２の色の上記のような黒色に限られず、遮光性を有するものであればよいことは勿論である。
さらに、上記の例ではチューブ本体１２の上面部分に反射層１３を形成するようにしてあるが、こうしたものに限られず、反射層１３は全周に形成することができることはいうまでもない。
【００２２】
加えて、チューブ本体１２に形成される反射層１３は、周囲からの熱や光を反射するためのものであるから、アルミ蒸着シートを長手方向に溶着したものに限られず、裏面に貼着剤を有するアルミニウム箔シートをチューブ本体１２に貼着したものであってもよいし、白色等、反射効率の高い色にすれば本発明を実施することができる。
因みに、チューブ本体１２にアルミ蒸着シート・アルミニウム箔シートをチューブ本体１２に貼着したものでは、何れも外気温が３９℃のとき、黒のチューブ単体では表面温度５６℃に対して、４３℃と約１３℃近くの温度低下を確認できたのである。
【００２３】
用途については、イチゴの苗の栽培に限られるものではなく、他の作物や樹木等にも有効に活用できる事は勿論である。
【図面の簡単な説明】
【００２４】
【図１】は本発明にかかる灌水用チューブの使用状態の概略を示す斜視図である。
【図２】は本発明にかかる灌水用チューブの使用状態の概略を示す一部を拡大した斜視図である。
【図３】は本発明にかかる灌水用チューブの製造過程の斜視図である。
【図４】は本発明にかかる灌水用チューブの縦断面図である。
【符号の説明】
【００２５】
１・・・育苗装置
２・・・トレー
３・・・灌水用チューブ
５・・・ポット
１０・・・シート
１２・・・チューブ本体
１３…反射層
【図１】
2008295309.tif 000003
【図２】
2008295309.tif 000004
【図３】
2008295309.tif 000005
【図４】
2008295309.tif 000006